(57)【特許請求の範囲】
【請求項１】
仮想軸線回りに環状に配置された複数のコーナーキューブプリズムの入射面が、前記仮想軸線に直交する方向から見た外周面に位置されたリフレクタ本体を備える全方位リフレクタ装置であって、
前記リフレクタ本体には、前記仮想軸線と一致する軸線を有する挿通孔が設けられ、
該挿通孔には、直線状のポールが摺動可能に挿通され、
前記リフレクタ本体には、該リフレクタ本体と前記ポールとの相対的な摺動を該ポールに対する任意の位置で固定可能な固定手段が設けられ、
前記リフレクタ本体は、前記各コーナーキューブプリズムにおける見かけの中心位置が、前記仮想軸線に直交する同一の仮想平面上に位置され、
前記各コーナーキューブプリズムは、入射面が正三角形とされかつその一つの辺を底辺として該底辺に対向する頂角近傍が当該底辺と平行に切り欠かれて切欠辺部が形成されており、
前記リフレクタ本体は、６つの前記コーナーキューブプリズムと、前記挿通孔のための貫通孔が設けられ前記仮想軸線方向に対向された２つの支持部材とを有し、
該両支持部材は、前記切欠辺部が前記仮想軸線方向の一方側とされた３つの前記コーナーキューブプリズムの前記入射面と、前記切欠辺部が前記仮想軸線方向の他方側とされた３つの前記コーナーキューブプリズムの前記入射面とが、前記仮想軸線回りで見て互いに交互に位置し、かつ隣接する前記入射面間において互いの斜辺が間隔を置いて平行となり、しかも隣接する前記コーナーキューブプリズム間において互いの前記切欠辺部と前記底辺とが前記仮想軸線に直交する同一面上に位置するように、６つの前記コーナーキューブプリズムを前記仮想軸線方向で挟持していることを特徴とする全方位リフレクタ装置。
【請求項２】
前記リフレクタ本体は、前記両支持部材の前記貫通孔と協働して前記挿通孔を形成する筒状の軸受部材を有し、
前記両支持部材は、前記軸受部材とともに前記各コーナーキューブプリズムを前記仮想軸線方向で挟持し、
前記各コーナーキューブプリズムは、いずれか一方の前記支持部材に前記切欠辺部が当接され、かつ他方の前記支持部材に前記底辺が当接され、しかも前記入射面と対向位置にある頂点が前記軸受部材に当接されていることを特徴とする請求項１に記載の全方位リフレクタ装置。
【請求項３】
前記リフレクタ本体は、前記各コーナーキューブプリズムを保護する保護部材を有し、
該保護部材は、隣接する前記入射面間において互いに間隔を置きつつ平行とされた前記両斜辺により形成される６つのスリット空間を埋めるように延在しつつ、６つの前記コーナーキューブプリズムの前記各切欠辺部に当接可能とされた単一の環状を呈していることを特徴とする請求項２に記載の全方位リフレクタ装置。
【発明の詳細な説明】
【技術分野】
【０００１】
本発明は、複数のコーナーキューブプリズムを用いて構成された全方位リフレクタ装置に関する。
【背景技術】
【０００２】
例えば、土木工事等に伴う測量では、測距光が照射されるターゲットとして、全方位リフレクタ装置を用いることが知られている（例えば、特許文献１参照）。この全方位リフレクタ装置では、複数のコーナーキューブプリズムが仮想の軸線回りに配置されて構成されたリフレクタ本体がポールの一端に固定されて構成されている。このリフレクタ本体は、ポール周りの３６０度すなわち全周に渡る方向から入射された光束を、その入射方向と平行な光束として反射することができる。
【０００３】
使用者は、測量したい所望位置にポールの他端を突き当てつつ当該ポールが鉛直方向に沿うように全方位リフレクタ装置を立て、その一端に固定されたリフレクタ本体と基準位置との間で測距光のやり取りを行うことにより、水平面における当該所望位置の測量を行う。
【特許文献１】特開２００７−１８７８５７号公報
【発明の開示】
【発明が解決しようとする課題】
【０００４】
しかしながら、上記した全方位リフレクタ装置では、ポールの一端にリフレクタ本体が固定されており、ポールが鉛直方向に対して少しでも傾いていると、水平方向で見たポールの他端と一端との位置には、ポールの傾きと長さとに応じて誤差が生じてしまう。
【０００５】
この誤差をなくすために、測量したい所望位置にリフレクタ本体を直に載置して当該所望位置の測量を行うことが考えられるが、この所望位置と測距光が出射される基準位置との位置関係によっては、基準位置とリフレクタ本体との間での測距光のやり取りができなくなってしまう。このような場面では、所定の長さ寸法のポールを用いて所望位置から鉛直方向の上方にリフレクタ本体を位置させる必要がある。このことから、全方位リフレクタ装置では、様々な長さのポールを用意し、測量を実施する度に、測量したい所望位置と基準位置との位置関係に応じた適切な長さのポールの一端にリフレクタ本体を固定する必要があった。
【０００６】
本発明は、上記の事情に鑑みて為されたもので、測量したい所望位置と基準位置との位置関係に対応可能な全方位リフレクタ装置を提供することにある。
【課題を解決するための手段】
【０００７】
上記した課題を解決するために、請求項１に記載の全方位リフレクタ装置は、仮想軸線回りに環状に配置された複数のコーナーキューブプリズムの入射面が、前記仮想軸線に直交する方向から見た外周面に位置されたリフレクタ本体を備える全方位リフレクタ装置であって、前記リフレクタ本体には、前記仮想軸線と一致する軸線を有する挿通孔が設けられ、該挿通孔には、直線状のポールが摺動可能に挿通され、前記リフレクタ本体には、該リフレクタ本体と前記ポールとの相対的な摺動を該ポールに対する任意の位置で固定可能な固定手段が設けられ、前記リフレクタ本体は、前記各コーナーキューブプリズムにおける見かけの中心位置が、前記仮想軸線に直交する同一の仮想平面上に位置され、前記各コーナーキューブプリズムは、入射面が正三角形とされかつその一つの辺を底辺として該底辺に対向する頂角近傍が当該底辺と平行に切り欠かれて切欠辺部が形成されており、前記リフレクタ本体は、６つの前記コーナーキューブプリズムと、前記挿通孔のための貫通孔が設けられ前記仮想軸線方向に対向された２つの支持部材とを有し、該両支持部材は、前記切欠辺部が前記仮想軸線方向の一方側とされた３つの前記コーナーキューブプリズムの前記入射面と、前記切欠辺部が前記仮想軸線方向の他方側とされた３つの前記コーナーキューブプリズムの前記入射面とが、前記仮想軸線回りで見て互いに交互に位置し、かつ隣接する前記入射面間において互いの斜辺が間隔を置いて平行となり、しかも隣接する前記コーナーキューブプリズム間において互いの前記切欠辺部と前記底辺とが前記仮想軸線に直交する同一面上に位置するように、６つの前記コーナーキューブプリズムを前記仮想軸線方向で挟持していることを特徴とする。
【００１０】
請求項２の全方位リフレクタ装置は、請求項１に記載の全方位リフレクタ装置であって、前記リフレクタ本体は、前記両支持部材の前記貫通孔と協働して前記挿通孔を形成する筒状の軸受部材を有し、前記両支持部材は、前記軸受部材とともに前記各コーナーキューブプリズムを前記仮想軸線方向で挟持し、前記各コーナーキューブプリズムは、いずれか一方の前記支持部材に前記切欠辺部が当接され、かつ他方の前記支持部材に前記底辺が当接され、しかも前記入射面と対向位置にある頂点が前記軸受部材に当接されていることを特徴とする。
【００１１】
請求項３の全方位リフレクタ装置は、請求項２に記載の全方位リフレクタ装置であって、前記リフレクタ本体は、前記各コーナーキューブプリズムを保護する保護部材を有し、該保護部材は、隣接する前記入射面間において互いに間隔を置きつつ平行とされた前記両斜辺により形成される６つのスリット空間を埋めるように延在しつつ、６つの前記コーナーキューブプリズムの前記各切欠辺部に当接可能とされた単一の環状を呈していることを特徴とする。
【発明の効果】
【００１２】
本発明の全方位リフレクタ装置によれば、リフレクタ本体をポールに沿って摺動させることができるとともに、固定手段によりリフレクタ本体をポールに対する任意の位置で固定することができることから、測量したい所望位置と基準位置との位置関係に応じた適切な高さ位置でリフレクタ本体を測距光のやり取りに使用することができる。
【００１３】
上記した構成に加えて、前記リフレクタ本体は、前記各コーナーキューブプリズムにおける見かけの中心位置が、前記仮想軸線に直交する同一の仮想平面上に位置されていることとすると、いずれのコーナーキューブプリズムで測距光のやり取りをした場合であっても、リフレクタ本体から反射される測距光に仮想軸方向での位置ずれが生じることを防止することができる。
【００１４】
上記した構成に加えて、前記各コーナーキューブプリズムは、入射面が正三角形とされかつその一つの辺を底辺として該底辺に対向する頂角近傍が当該底辺と平行に切り欠かれて切欠辺部が形成されており、前記リフレクタ本体は、６つの前記コーナーキューブプリズムと、前記挿通孔のための貫通孔が設けられ前記仮想軸線方向に対向された２つの支持部材とを有し、該両支持部材は、前記切欠辺部が前記仮想軸線方向の一方側とされた３つの前記コーナーキューブプリズムの前記入射面と、前記切欠辺部が前記仮想軸線方向の他方側とされた３つの前記コーナーキューブプリズムの前記入射面とが、前記仮想軸線回りで見て互いに交互に位置し、かつ隣接する前記入射面間において互いの斜辺が間隔を置いて平行となり、しかも隣接する前記コーナーキューブプリズム間において互いの前記切欠辺部と前記底辺とが前記仮想軸線に直交する同一面上に位置するように、６つの前記コーナーキューブプリズムを前記仮想軸線方向で挟持していることとすると、仮想軸方向で見た大きさ寸法を小さくしつつ各コーナーキューブプリズムでの仮想軸方向の位置ずれを防止することができる。
【００１５】
また、一対の支持部材で各コーナーキューブプリズムを仮想軸方向に挟持するものであることから、リフレクタ本体を簡易な構成とすることができる。
【００１６】
上記した構成に加えて、前記リフレクタ本体は、前記両支持部材の前記貫通孔と協働して前記挿通孔を形成する筒状の軸受部材を有し、前記両支持部材は、前記軸受部材とともに前記各コーナーキューブプリズムを前記仮想軸線方向で挟持し、前記各コーナーキューブプリズムは、いずれか一方の前記支持部材に前記切欠辺部が当接され、かつ他方の前記支持部材に前記底辺が当接され、しかも前記入射面と対向位置にある頂点が前記軸受部材に当接されていることとすると、各コーナーキューブプリズムの位置決めを容易なものとしつつリフレクタ本体の組み付け作業を容易なものとすることができる。
【００１７】
上記した構成に加えて、前記リフレクタ本体は、前記各コーナーキューブプリズムを保護する保護部材を有し、該保護部材は、隣接する前記入射面間において互いに間隔を置きつつ平行とされた前記両斜辺により形成される６つのスリット空間を埋めるように延在しつつ、６つの前記コーナーキューブプリズムの前記各切欠辺部に当接可能とされた単一の環状を呈していることとすると、環状の保護部材における所定の箇所に各コーナーキューブプリズムを嵌め込むように、両支持部材と各コーナーキューブプリズムと軸受部材とを組み付ければよいので、各コーナーキューブプリズムの位置決めをより容易かつ適切なものとしつつリフレクタ本体の組み付け作業をより容易なものとすることができる。
【００１８】
また、保護部材が、各コーナーキューブプリズム同士が接触することを防止するので、各コーナーキューブプリズムの破損を防止することができる。
【発明を実施するための最良の形態】
【００１９】
以下に、図面を参照しつつ本発明の各実施例を説明する。
【実施例】
【００２０】
図１は、本実施例に係る全方位リフレクタ装置１０を示す模式的な斜視図であり、図２は、全方位リフレクタ装置１０の要部を拡大して示す斜視図である。図３は、全方位リフレクタ装置１０のうち、リフレクタ本体１２を示す模式的な斜視図であり、図４は、図３のＩ−Ｉ線に沿って得られた断面図である。図５は、リフレクタ本体１２を分解して示す模式的な斜視図である。なお、図５では、理解容易のために各コーナーキューブプリズム２１に装着される片状保護部材２２の図示を省略している。
【００２１】
全方位リフレクタ装置１０は、図１に示すように、ポール１１にリフレクタ本体１２が装着されて構成されている。
【００２２】
ポール１１は、まっすぐな棒状を呈し、長尺方向に交互に色分けされている。以下の説明および各図面では、理解容易のために、ポール１１の長尺方向を上下（Ｚ）方向とし、そこに直交する平面を水平面とする。本実施例では、ポール１１の一端には、円錐形状の石突部１３が設けられている。この全方位リフレクタ装置１０は、測量したい所望位置に石突部１３を突き刺しつつポール１１を鉛直方向に沿って立たせて、当該所望位置の測量に用いられる。
【００２３】
このポール１１に取り付けられたリフレクタ本体１２には、固定手段としての固定部１４が設けられている。固定部１４は、図２に示すように、貫通孔１５と押圧ネジ孔１６とが設けられた固定基台１７に押圧ネジ１８が螺合されて構成されている。この貫通孔１５は、固定部１４を高さ方向に貫通しており、ポール１１の挿通を許す径寸法とされている。押圧ネジ孔１６は、貫通孔１５と直交するように当該貫通孔１５に連通されており、図示は略すが内壁に押圧ネジ１８の螺合のためのネジ溝が設けられている。この固定部１４は、後述する支持部材２０（図１７（ａ）参照）（本実施例では下側支持部材２０ｂ）に設けられた取付用ネジ孔５４に固定部取付ネジ１９が螺合されることにより、リフレクタ本体１２に取り付けられている。この固定部１４では、押圧ネジ孔１６に螺合された押圧ネジ１８を緩めることにより、リフレクタ本体１２と一体的にポール１１に沿って移動可能となり、押圧ネジ孔１６に螺合された押圧ネジ１８を締め付けて押圧ネジ１８の先端をポール１１に押し当てることにより、リフレクタ本体１２をポール１１に固定する。
【００２４】
このように固定部１４が取り付けられたリフレクタ本体１２は、図２ないし図５に示すように、２つの支持部材２０（上側支持部材２０ａおよび下側支持部材２０ｂ）と、互いに等しい６つのコーナーキューブプリズム２１と、６つの片状保護部材２２（図４および図５参照）と、環状保護部材２３と、軸受部材２４とを有する。先ず、コーナーキューブプリズム２１について、説明する。
【００２５】
ここで、図６は、コーナーキューブプリズム２１を示す斜視図である。図７は、コーナーキューブプリズム２１の説明のための説明図であり、（ａ）は、図６の矢印Ａ１からみた背面図であり、（ｂ）は図６の矢印Ａ２からみた側面図であり、（ｃ）は図６の矢印Ａ３からみた正面図である。また、図８は、６つのコーナーキューブプリズム２１の位置関係を示す模式的な斜視図であり、図９は、図８の矢印Ａ４からみた上面図である。図１０は、６つのコーナーキューブプリズム２１の位置関係を説明するための説明図であり、（ａ）は図９の矢印Ａ５からみた平面図であり、（ｂ）は図８のII−IIに沿って得られた断面図である。
【００２６】
コーナーキューブプリズム２１は、全体に、正三角形とされた１つの入射面２５と、互いに直交する３つの面（以下では、１つを底面２６とし、残りの２つを側面２７とする）とを有する四面体を呈しており、入射面２５の一つの角を頂角としてその近傍が切り欠かれて切欠片部２８が形成されている。ここで、入射面２５において、この頂角に対向する対向辺を底辺２５ａとし、この底辺２５ａを入射面２５とともに形成する面を底面２６とする。この３つの面（底面２６および両側面２７）は、互いに隣接することにより３つの稜線を形成しており、入射面２５に直交する方向から見ると、当該稜線が互いに１２０度の傾斜とされている（図７（ａ）参照）。このコーナーキューブプリズム２１では、入射面２５を正面視した際に見える３つの側面２７により形成される頂点箇所（以下、見かけの中心位置２９（図６および図７（ｃ）参照）という）が、実際に３つの側面２７により形成される頂点３０（図６および図７（ａ）（ｂ）参照）から相違する。この見かけの中心位置２９は、計算により求めることができ、この計算方法は従来から良く知られているものであることから、その詳細については省略する。コーナーキューブプリズム２１は、入射面２５の３つの辺に接する内接円を有効径３１（図７（ｃ）参照）として、有効径３１内であれば、入射面２５に入射された光束を、３つの面（底面２６および両側面２７）で反射し、見かけの中心位置２９に対する点対称位置から入射方向と平行に出射する。
【００２７】
リフレクタ本体１２では、図８に示すように、所定の位置関係とされている。この所定の位置関係では、この６つのコーナーキューブプリズム２１のうち、３つが入射面２５において切欠片部２８を上側（以下では上向きという）としつつその対向辺である各底辺２５ａが水平面に沿う同一平面に位置し、かつ高さ方向に対する入射面２５の傾斜が等しくなるように配置される。また、６つのコーナーキューブプリズム２１のうち、残りの３つが入射面２５において切欠片部２８を下側（以下では下向きという）としつつその各底辺２５ａが水平面に沿う同一平面に位置し、かつ高さ方向に対する入射面２５の傾斜が等しくなるように配置される。ここで、上向きの３つのコーナーキューブプリズム２１（以下、上向きの３つと区別する際には２１ａとする）では、互いに等しいものであり、各底辺２５ａが水平面に沿う同一平面に位置され、かつ高さ方向に対する入射面２５の傾斜が等しくされていることから、見かけの中心位置２９が高さ方向で見て互いに等しい位置とされ、下向きの３つのコーナーキューブプリズム２１（以下、下向きの３つと区別する際には２１ｂとする）でも同様に見かけの中心位置２９が高さ方向で見て互いに等しい位置とされている。
【００２８】
また、本実施例では、所定の位置関係とされた状態において、上向きの３つのコーナーキューブプリズム２１ａの見かけの中心位置２９と、下向きの３つのコーナーキューブプリズム２１ｂの見かけの中心位置２９とが、高さ方向で見て互いに等しい位置とされている。このとき、６つのコーナーキューブプリズム２１では、その入射面２５で正八面体の位置関係を構成する状態から、隣接する入射面２５の斜辺２５ｂ（底辺２５ａ以外の２つの辺）に沿って滑らせるように、上向きの３つのコーナーキューブプリズム２１ａと下向きの３つのコーナーキューブプリズム２１ｂとが高さ方向に近接されている。各切欠片部２８は、このように上向きの３つのコーナーキューブプリズム２１ａと下向きの３つのコーナーキューブプリズム２１ｂとが高さ方向に近接された際、各底辺２５ａが同一平面に位置するように設定されている。
【００２９】
さらに、本実施例では、所定の位置関係とされた状態において、６つのコーナーキューブプリズム２１は、入射面２５において隣接する斜辺２５ｂが互いに平行な状態で間隔ｄを置くような位置関係とされている（図１０（ａ）参照）。このため、６つのコーナーキューブプリズム２１の間には、間隔ｄのスリット空間が形成されている。この６つのコーナーキューブプリズム２１では、図１０（ｂ）に示すように、上向きの３つのコーナーキューブプリズム２１ａの入射面２５が高さ方向（Ｚ軸で示す）に対して、切欠片部２８側がＺ軸から離間する方向に所定の角度（θ）で傾斜されている。また、６つのコーナーキューブプリズム２１では、下向きの３つのコーナーキューブプリズム２１ｂの入射面２５が高さ方向（Ｚ軸で示す）に対して、切欠片部２８側がＺ軸から離間する方向に上記所定の角度（θ）に等しい大きさの所定の角度（−θ）で傾斜されている。
【００３０】
このような所定の位置関係とされた６つのコーナーキューブプリズム２１では、上向きの３つのコーナーキューブプリズム２１ａにおける各入射面２５の底辺２５ａが形成する三角形の重心と、下向きの３つのコーナーキューブプリズム２１ｂにおける各入射面２５の底辺２５ａが形成する三角形の重心とが、水平面方向で見ると一致している。この２つの重心を結ぶ直線を軸線とするように、リフレクタ本体１２の後述する挿通孔５７が設けられることとなる。また、リフレクタ本体１２では、水平面方向の外周面に、所定の位置関係とされた６つのコーナーキューブプリズム２１の各入射面２５が位置されることとなる。
【００３１】
この各コーナーキューブプリズム２１に片状保護部材２２（図４参照）が装着される。ここで、図１１は、片状保護部材２２を説明するための説明図であり、（ａ）は模式的な斜視図であり、（ｂ）は（ａ）の矢印Ａ６から見た模式的な斜視図である。図１２は、図１１（ｂ）に示すIII−III線に沿って得られた断面図であり、片状保護部材２２がコーナーキューブプリズム２１に装着された状態を示している。
【００３２】
片状保護部材２２は、弾性部材から形成されており、図１１および図１２に示すように、三角片部３２と碗状部３３とを有する。三角片部３２は、コーナーキューブプリズム２１の３つの側面２７のうち入射面２５の底辺２５ａを形成する底面２６と略同一形状とされた三角形の板状を呈しており、一端が碗状部３３に連通し、他端に係止片３４が設けられている。この係止片３４は、内側（コーナーキューブプリズム２１の底面２６に対向される側）へ向けて突出されており、コーナーキューブプリズム２１に対し底辺２５ａを覆うように入射面２５に引っ掛かるように形成されている。
【００３３】
碗状部３３は、内側がコーナーキューブプリズム２１の頂点３０を受け入れ可能な凹所とされており、外側が軸受部材２４の後述する受入凹所４３に係合可能な尖端３３ａを有する凸状とされている。この片状保護部材２２は、図１１（ｂ）および図１２に示すように、内側がコーナーキューブプリズム２１の底面２６に宛がわれた状態で、頂点３０を碗状部３３で受け入れつつ、係止片３４が底辺２５ａを覆うように入射面２５に引っ掛けられて、各コーナーキューブプリズム２１に装着される。このように片状保護部材２２が装着された６つのコーナーキューブプリズム２１の間には、環状保護部材２３が配置される。ここで、図１３は、環状保護部材２３を模式的に示す斜視図である。図１４は、環状保護部材２３を説明するための説明図であり、（ａ）は図１３の矢印Ａ７から見た平面で示し、（ｂ）は（ａ）に示すIV−IV線に沿って得られた断面で示している。
【００３４】
環状保護部材２３は、弾性部材から形成されており、図１３および図１４に示すように、３つの頂辺部３５と３つの底辺部３６とそれらを架け渡す６つの傾斜辺部３７と有する環状を呈し、環状方向で見て頂辺部３５と底辺部３６とが交互に位置されている。この３つの頂辺部３５と３つの底辺部３６とは、高さ方向を逆転させて見ると互いに等しい形状とされている。６つの傾斜辺部３７は、コーナーキューブプリズム２１の２つの側面２７の位置関係に合わせて、互いに隣接するものの間において６０度の傾斜を為すように設定されている（図１４（ａ）参照）。また、各頂辺部３５および各底辺部３６の内側には、コーナーキューブプリズム２１の切欠片部２８の形状に一致された三角形状の凹所３８が設けられている。この環状保護部材２３は、上下を逆転するように１８０度反転させた場合であっても、同一形状となるような点対称な構造とされている。
【００３５】
環状保護部材２３は、上向きの３つのコーナーキューブプリズム２１ａの切欠片部２８が３つの頂辺部３５の凹所３８に嵌め込まれ、かつ下向きの３つのコーナーキューブプリズム２１ｂ切欠片部２８が３つの底辺部３６の凹所３８に嵌め込まれ、しかも各コーナーキューブプリズム２１の両側面２７が傾斜辺部３７に当接するように、配置される（図２、図３および図５参照）。環状保護部材２３は、この配置状態において、所定の位置関係とされた６つのコーナーキューブプリズム２１における入射面２５で見て隣接する互いに平行な斜辺２５ｂの間に設けられた間隔ｄ（図１０（ａ）参照）により形成されたスリット空間のうち外表面に位置する箇所を、環状保護部材２３の６つの傾斜辺部３７により充填することができる大きさ寸法とされている。このため、環状保護部材２３は、６つのコーナーキューブプリズム２１が所定の位置関係（図８参照）とされた際の各入射面２５の斜辺２５ｂの間に設けられた間隔を埋めつつ各切欠片部２８を覆う（図２および図３参照）。この状態において、各コーナーキューブプリズム２１は、切欠片部２８が各頂辺部３５または各底辺部３６の凹所３８に嵌め込まれていることから、この凹所３８の外端３８ａが切欠片部２８から入射面２５に跨がるように当該入射面２５に引っ掛かっている（図４参照）。
【００３６】
この環状保護部材２３の内方に軸受部材２４が設けられる。図１５は、軸受部材２４を説明するための説明図であり、（ａ）は模式的な斜視図で示し、（ｂ）は（ａ）のＶ−Ｖ線に沿って得られた断面図で示している。
【００３７】
軸受部材２４は、ポール１１を受入可能な筒状を呈し、上下に鍔部３９が設けられ、その中間に肉厚部４０が設けられている。両鍔部３９は、上側支持部材２０ａの貫通孔４４ａまたは下側支持部材２０ｂの貫通孔４４ｂ（図５参照）に挿通された際に上側支持部材２０ａまたは下側支持部材２０ｂに突き当てられる箇所である。両鍔部３９には、高さ方向を取り巻く方向で見て、３つのネジ孔４１と３つの係止溝４２とが交互に設けられている。この３つのネジ孔４１と３つの係止溝４２とは、上側の鍔部３９と下側の鍔部３９とでは、周方向で見て６０度ずれて設けられている。すなわち、周方向で見ると、上側の鍔部３９の３つのネジ孔４１が、下側の鍔部３９の３つの係止溝４２と一致され、上側の鍔部３９の３つの係止溝４２が、下側の鍔部３９の３つのネジ孔４１と一致されている。
【００３８】
その中間に位置する肉厚部４０には、６つの受入凹所４３が設けられている。この受入凹所４３は、片状保護部材２２の碗状部３３の尖端３３ａの形状に合致する窪み点４３ａを有するすり鉢状を呈し、片状保護部材２２の碗状部３３に面当接しつつ係合するように受け入れ可能とされている。また、６つの受入凹所４３は、所定の位置関係とされた状態における６つのコーナーキューブプリズム２１（図８参照）の各頂点３０の位置関係に合致するように、外周方向で見て、高さ位置が交互に上下に変位されている。この軸受部材２４は、上下を逆転するように１８０度反転させた場合であっても、同一形状となるような点対称な構造とされている。
【００３９】
軸受部材２４は、２つの支持部材２０（上側支持部材２０ａと下側支持部材２０ｂ（図２ないし図５参照））に高さ方向に挟持される。なお、２つの支持部材２０は、互いに等しいものであることから、一方についてのみ説明し、他方は省略する。また、両支持部材２０は、リフレクタ本体１２における上端と下端とに位置されるものであり（図２ないし図５参照）、それぞれ個別に表すときには、上側支持部材２０ａおよび下側支持部材２０ｂで示し、各部の符号についても同様とする。図１６は、支持部材２０を示す斜視図であり、図１７は、支持部材２０の説明のための説明図であり、（ａ）は一端面を正面視した平面図であり、（ｂ）は他端面を正面視した平面図である。
【００４０】
支持部材２０は、全体に正三角形の板状を呈し、中央に貫通孔４４が設けられている。支持部材２０の一端面２０１には、その外郭形状を縁取る外郭リブ４５と、間隔を置いて貫通孔４４を取り囲むリング状リブ４６と、このリング状リブ４６に連続し正三角形の角部に対応された３つの角部リブ４７と、正三角形の辺部に対応された３つの一対の辺部リブ４８とが設けられている。また、支持部材２０の一端面２０１には、リング状リブ４６と貫通孔４４との間の中央平面部４９と、外郭リブ４５と角部リブ４７とにより囲まれた角平面部５０と、外郭リブ４５と辺部リブ４８との間に設けられた辺平面部５１とが設けられている。
【００４１】
支持部材２０の一端面２０１には、中央平面部４９に３つの取付孔５２と３つの係合突起５３とが設けられている。この３つの取付孔５２は、軸受部材２４の鍔部３９に設けられた３つのネジ孔４１に対応して設けられ、３つの係合突起５３は、軸受部材２４の鍔部３９に設けられた３つの係止溝４２に対応して設けられている。
【００４２】
この下側支持部材２０ｂの他端面２０２には、３つの取付用ネジ孔５４が設けられている。各取付用ネジ孔５４は、正三角形の角部に対応されて設けられており、周方向で見て等しい間隔となるように位置されている。
【００４３】
次に、このリフレクタ本体１２の組み付け構造を、図５を用いて説明する。なお、以下では、組み付け構造の理解容易のために順序立てて説明するが、組み付けの順番は本実施例に限定されるものではない。
【００４４】
先ず、各コーナーキューブプリズム２１に、片状保護部材２２を装着する（図１１（ｂ）および図１２参照）。
【００４５】
軸受部材２４を下側支持部材２０ｂ上に載置する。このとき、軸受部材２４の鍔部３９の３つの係止溝４２に下側支持部材２０ｂの３つの係合突起５３ｂを挿入しつつ軸受部材２４を下側支持部材２０ｂの貫通孔４４ｂに挿入し、軸受部材２４の鍔部３９を下側支持部材２０ｂの中央平面部４９ｂに当接させる。この状態において、下側支持部材２０ｂの下方からその３つの取付孔５２ｂに３つの取付ネジ５５を挿通し、この各取付ネジ５５を軸受部材２４の鍔部３９の３つのネジ孔４１に螺合する。このとき、鍔部３９の係止溝４２および下側支持部材２０ｂの係合突起５３ｂは、周方向で見て等しい間隔で３箇所に設けられていることから、互いが係合されることにより、下側支持部材２０ｂと軸受部材２４との周方向での１２０度毎の相対的な向きの変化を許容しつつ下側支持部材２０ｂ（上側支持部材２０ａの場合も同様）に対する軸受部材２４の周方向で見た向きが決定されることとなる。この状態においては、軸受部材２４に設けられた６つの受入凹所４３が、下側支持部材２０ｂに対して周方向で見て適切な位置、すなわち相対的に低い位置にある３つの受入凹所４３が下側支持部材２０ｂの正三角形の角部と正対し、相対的に高い位置にある３つの受入凹所４３が下側支持部材２０ｂの正三角形の辺部と正対する位置関係とされる。これは、上述したように、軸受部材２４に設けられた６つの受入凹所４３が、所定の位置関係とされた状態での６つのコーナーキューブプリズム２１（図８参照）の頂点３０の位置に応じて、軸受部材２４における高さ位置が軸受部材２４の外周方向で交互に上下に変位されていることによる。
【００４６】
この下側支持部材２０ｂの一端面２０１に、上向きの３つのコーナーキューブプリズム２１ａを載置する。このとき、上向きの３つのコーナーキューブプリズム２１ａは、装着された片状保護部材２２の係止片３４の外方箇所が、下側支持部材２０ｂの一端面２０１の辺平面部５１ｂに係合され、かつ装着された片状保護部材２２の碗状部３３の尖端３３ａが、軸受部材２４の受入凹所４３（相対的に高い位置にある３つ）の窪み点４３ａに合致されつつ碗状部３３を受入凹所４３に面当接されて係合される。このため、外郭リブ４５と辺部リブ４８との協働により、片状保護部材２２が装着されたコーナーキューブプリズム２１の底辺２５ａ近傍が位置決めされるとともに、軸受部材２４の受入凹所４３により当該コーナーキューブプリズム２１の頂点３０が位置決めされるので、上向きの３つのコーナーキューブプリズム２１ａは、下側支持部材２０ｂの一端面２０１に対して適切な位置および姿勢とされている（図４参照）。
【００４７】
この上向きの３つのコーナーキューブプリズム２１ａに、環状保護部材２３を載置する。このとき、環状保護部材２３は、６つの傾斜辺部３７を３つのコーナーキューブプリズム２１の両側面２７に当接させ、かつ３つの頂辺部３５の凹所３８に各コーナーキューブプリズム２１の切欠片部２８を嵌入させ、しかも３つの底辺部３６を下側支持部材２０ｂの一端面２０１の角平面部５０ｂに当接させるように、載置される。
【００４８】
この環状保護部材２３の上に、下向きの３つのコーナーキューブプリズム２１ｂを載置する。このとき、３つのコーナーキューブプリズム２１は、それぞれの両側面２７を環状保護部材２３の６つの傾斜辺部３７に当接させ、それぞれの切欠片部２８を環状保護部材２３の底辺部３６の凹所３８に嵌入させるように、載置される。
【００４９】
この上から、上側支持部材２０ａを載置する。このとき、上側支持部材２０ａは、３つの係合突起５３を軸受部材２４の鍔部３９の３つの係止溝４２に挿入しつつ貫通孔４４ａで軸受部材２４を受け入れ、中央平面部４９に軸受部材２４の鍔部３９を当接させるように、載置される。ここで、軸受部材２４の上側の鍔部３９と下側の鍔部３９とでは、３つの係止溝４２が周方向で見て６０度ずれて設けられていることから、上側支持部材２０ａが、下側支持部材２０ｂに対して周方向で見て６０度ずれた位置関係とされ、所定の配置関係とされた６つのコーナーキューブプリズム２１に適合される。また、上側支持部材２０ａは、角平面部５０ａ（図４参照）に環状保護部材２３の各頂辺部３５を当接させ、辺平面部５１ａに下向きの３つのコーナーキューブプリズム２１ｂに装着された片状保護部材２２の係止片３４の外方箇所を嵌入させるように、載置される。
【００５０】
この状態において、上側支持部材２０ａの上方からその３つの取付孔５２に３つの取付ネジ５６を挿通し、この各取付ネジ５６を軸受部材２４の鍔部３９の３つのネジ孔４１に螺合する。このようにリフレクタ本体１２は組み付けられている。
【００５１】
このリフレクタ本体１２（図３および図４参照）の下方に固定部１４を装着し（図１および図２参照）、軸受部材２４の内方の筒部により形成された挿通孔５７と、固定部１４の貫通孔１５とにポール１１を挿通することにより、全方位リフレクタ装置１０（図１および図２参照）が形成される。
【００５２】
この全方位リフレクタ装置１０では、以下の（ａ）〜（ｋ）の効果を得ることができる。
【００５３】
（ａ）リフレクタ本体１２をポール１１に沿って摺動させることができるとともに、固定部１４によりポール１１上における任意の位置でリフレクタ本体１２を固定することができる。このため、リフレクタ本体１２を測量したい所望位置と基準位置との位置関係に応じた適切な高さ位置として、測距光のやり取りに用いることができる。
【００５４】
（ｂ）リフレクタ本体１２では、６つのコーナーキューブプリズム２１が、見かけの中心位置２９が高さ方向すなわちポール１１の延在方向で一致する位置関係とされていることから、ポール１１を鉛直方向に立てた状態では、ポール１１上における固定された位置に拘らず、リフレクタ本体１２のいずれのコーナーキューブプリズム２１と測距光のやり取りをした場合であっても、高さ方向での位置ずれが生じることを防止することができる。
【００５５】
（ｃ）リフレクタ本体１２では、隣接する２つの入射面２５で見て底辺２５ａと一致する高さ位置となるように、６つのコーナーキューブプリズム２１のそれぞれに切欠片部２８が設けられていることから、高さ方向の大きさ寸法を小さくすることができる。これは、見かけの中心位置２９を高さ方向で一致する位置関係とすると、隣接する２つの入射面２５で見ると、一方の入射面２５の底辺２５ａよりも他方の入射面２５の頂角（底辺２５ａに対向される角）近傍が高さ方向に突出することとなることによる。
【００５６】
（ｄ）リフレクタ本体１２は、基本的に、一対の支持部材２０で各コーナーキューブプリズム２１を高さ方向に挟持するものであることから、リフレクタ本体１２を簡易な構成とすることができるとともに、接着剤を必要としないので組み立て作業が容易でありかつ廃棄の際の環境への負荷を低減することができる。
【００５７】
（ｅ）リフレクタ本体１２では、各コーナーキューブプリズム２１の切欠片部２８が、環状保護部材２３の頂辺部３５または底辺部３６の凹所３８に係合され、当該凹所３８の外端３８ａが切欠片部２８から入射面２５に跨がるように当該入射面２５に引っ掛かった状態で、その頂辺部３５または底辺部３６が支持部材２０の角平面部５０に係合されている。また、各コーナーキューブプリズム２１の入射面２５で見た底辺２５ａの近傍が、片状保護部材２２の係止片３４が引っ掛けられて当該係止片３４により覆われ、その係止片３４の近傍が支持部材２０の辺平面部５１に係合されている。さらに、各コーナーキューブプリズム２１の頂点３０が、片状保護部材２２の碗状部３３に面当接するように係合され、その碗状部３３が軸受部材２４の受入凹所４３に面当接するように係合されている。このため、各コーナーキューブプリズム２１は、切欠片部２８と、入射面２５で見た底辺２５ａの近傍と、頂点３０とで位置決めされて、所定の位置関係（図８参照）とされている。よって、リフレクタ本体１２では、各部材の組み付け作業を行えば、自動的に６つのコーナーキューブプリズム２１を所定の位置関係（図８参照）とすることができ、リフレクタ本体１２の組み付け作業を容易なものとすることができる。
【００５８】
（ｆ）リフレクタ本体１２では、上側支持部材２０ａと下側支持部材２０ｂとにより高さ方向に挟持された各コーナーキューブプリズム２１の頂点３０を、片状保護部材２２の碗状部３３を介して軸受部材２４の受入凹所４３に面当接させることにより、各コーナーキューブプリズム２１が中心軸に近接する方向（ポール１１に近接する方向）に変位することが防止されている。また、リフレクタ本体１２では、凹所３８の外端３８ａが切欠片部２８から入射面２５に跨がるように当該入射面２５に引っ掛けられ、かつ片状保護部材２２の係止片３４が底辺２５ａの近傍で入射面２５に引っ掛けられることにより、支持部材２０の角平面部５０に係合された環状保護部材２３の頂辺部３５または底辺部３６が、各コーナーキューブプリズム２１の切欠片部２８が中心軸から離間する方向（ポール１１から離間する方向）に変位することが防止されている。このため、各コーナーキューブプリズム２１は、水平面方向における中心軸からの放射方向で見ると、入射面２５の上下端に当接された両支持部材２０と頂点３０に当接された軸受部材２４とにより挟持されていることとなり、当該放射方向に移動することが防止されている。特に、本実施例では、各コーナーキューブプリズム２１が、弾性部材である環状保護部材２３または片状保護部材２２を介して、入射面２５の上下端に当接された両支持部材２０と頂点３０に当接された軸受部材２４とにより挟持されていることから、各コーナーキューブプリズム２１に過剰な力を作用させることなく当該各コーナーキューブプリズム２１を適切に固定することができる。
【００５９】
（ｇ）リフレクタ本体１２では、単一の部材として構成された環状保護部材２３における所定の箇所に、各コーナーキューブプリズム２１を面当接させるように嵌め込むことで、この各コーナーキューブプリズム２１を所定の位置関係（図８参照）とすることができるので、各コーナーキューブプリズム２１の位置決めをより容易かつ適切なものとしつつリフレクタ本体１２の組み付け作業をより容易なものとすることができる。
【００６０】
（ｈ）リフレクタ本体１２では、環状保護部材２３により各コーナーキューブプリズム２１同士が接触することが防止されるので、各コーナーキューブプリズム２１の破損を防止することができる。
【００６１】
（ｉ）リフレクタ本体１２では、所定の位置関係とされた６つのコーナーキューブプリズム２１において、入射面２５で見て隣接する互いに平行な斜辺２５ｂの間に設けられた間隔ｄにより形成されたスリット空間のうち外表面に位置箇所が、環状保護部材２３の６つの傾斜辺部３７により充填されているので、各コーナーキューブプリズム２１の入射面２５の縁部が適切に保護されているとともに、見栄えが向上されている。
【００６２】
（ｊ）リフレクタ本体１２では、上側支持部材２０ａと下側支持部材２０ｂとが、３つの係合突起５３を軸受部材２４の鍔部３９の３つの係止溝４２に挿入しつつ、３つの取付孔５２に挿通された３つの取付ネジ５５、５６を軸受部材２４の鍔部３９の３つのネジ孔４１に螺合されることにより、軸受部材２４に固定されていることから、上側支持部材２０ａと下側支持部材２０ｂとの相対的なねじれ（ポール１１回りの回転）を防止することができる。
【００６３】
（ｋ）リフレクタ本体１２は、各構成部品（片状保護部材２２を除く）が上下を逆転するように１８０度反転させた場合であっても、同一形状となるような点対称な構造とされていることから、各構成部品の上下方向を気にすることなく組み付けることができるので、組み付け作業を容易なものとすることができる。
【００６４】
したがって、全方位リフレクタ装置１０では、測量したい所望位置と基準位置との位置関係に対応可能であり、正確でかつ迅速な測量作業に大きく貢献することができる。
【００６５】
なお、上記した実施例では、リフレクタ本体１２が、上向きの３つのコーナーキューブプリズム２１ａと下向きの３つのコーナーキューブプリズム２１ｂとが交互に位置されて構成されていたが、ポール１１の延在方向に直交する面で見た周りの３６０度すなわち全周に渡る方向から入射された光束を、その入射方向と平行な光束として反射することができるものであればよく、上記した実施例に限定されるものではない。
【００６６】
また、上記した実施例では、６つのコーナーキューブプリズム２１が、見かけの中心位置２９が高さ方向すなわちポール１１の延在方向で一致する位置関係とされていたが、見かけの中心位置２９が高さ方向で異なる構成であってもよく、上記した実施例に限定されるものではない。
【００６７】
さらに、上記した実施例では、固定部１４が、貫通孔１５と押圧ネジ孔１６とが設けられた固定基台１７に押圧ネジ１８が螺合される構成とされていたが、ポール１１上における任意の位置でリフレクタ本体１２を固定することができるものであればよく、上記した実施例に限定されるものではない。
【００６８】
上記した実施例では、設けられていないが、全方位リフレクタ装置１０は、測量したい所望位置に石突部１３を突き刺しつつポール１１を鉛直方向に沿って立たせて使用するものであることから、水準器を設けることにより、使い勝手を向上させることができる。この場合、例えば、リフレクタ本体１２に水準器を設けることが考えられるが、上記した実施例では、リフレクタ本体１２を構成する上側支持部材２０ａが、下側支持部材２０ｂと等しい構成であることから、上側支持部材２０ａの他端面２０２ａには、３つの取付用ネジ孔５４ａ（図３および図５参照）が設けられているので、この取付用ネジ孔５４ａを利用して、水準器をリフレクタ本体１２に取り付けることができる。
【図面の簡単な説明】
【００６９】
【図１】本実施例に係る全方位リフレクタ装置を示す模式的な斜視図である。
【図２】全方位リフレクタ装置の要部を拡大して示す斜視図である。
【図３】全方位リフレクタ装置のうち、リフレクタ本体を示す模式的な斜視図である。
【図４】図３のＩ−Ｉ線に沿って得られた断面図である。
【図５】リフレクタ本体を分解して示す模式的な斜視図である。
【図６】コーナーキューブプリズムを示す斜視図である。
【図７】図７は、コーナーキューブプリズムの説明のための説明図であり、（ａ）は、図６の矢印Ａ１からみた背面図であり、（ｂ）は図６の矢印Ａ２からみた側面図であり、（ｃ）は図６の矢印Ａ３からみた正面図である。
【図８】６つのコーナーキューブプリズムの位置関係を示す模式的な斜視図である。
【図９】図８の矢印Ａ４からみた上面図である。
【図１０】６つのコーナーキューブプリズムの位置関係を説明するための説明図であり、（ａ）は図９の矢印Ａ５からみた平面図であり、（ｂ）は図８のII−IIに沿って得られた断面図である。
【図１１】片状保護部材を説明するための説明図であり、（ａ）は模式的な斜視図であり、（ｂ）は（ａ）の矢印Ａ６から見た模式的な斜視図である。
【図１２】図１１（ｂ）に示すIII−III線に沿って得られた断面図であり、片状保護部材がコーナーキューブプリズムに装着された状態を示している。
【図１３】環状保護部材を模式的に示す斜視図である。
【図１４】環状保護部材を説明するための説明図であり、（ａ）は図１３の矢印Ａ７から見た平面図であり、（ｂ）は（ａ）に示すIV−IV線に沿って得られた断面図である。
【図１５】軸受部材を説明するための説明図であり、（ａ）は模式的な斜視図であり、（ｂ）は（ａ）のＶ−Ｖ線に沿って得られた断面図である。
【図１６】支持部材を示す斜視図である。
【図１７】支持部材の説明のための説明図であり、（ａ）は一端面を正面視した平面図であり、（ｂ）は他端面を正面視した平面図である。
【符号の説明】
【００７０】
１０  全方位リフレクタ装置
１１  ポール
１２  リフレクタ本体
１４  （固定手段としての）固定部
２０  支持部材
２１  コーナーキューブプリズム
２３  （環状の保護部材としての）環状保護部材
２４  軸受部材
２５  入射面
２５ａ  底辺
２８  切欠片部
２９  見かけの中心位置
３０  頂点
５７  挿通孔
【図１】
0005096964.tif 000002
【図２】
0005096964.tif 000003
【図３】
0005096964.tif 000004
【図４】
0005096964.tif 000005
【図５】
0005096964.tif 000006
【図６】
0005096964.tif 000007
【図７】
0005096964.tif 000008
【図８】
0005096964.tif 000009
【図９】
0005096964.tif 000010
【図１０】
0005096964.tif 000011
【図１１】
0005096964.tif 000012
【図１２】
0005096964.tif 000013
【図１３】
0005096964.tif 000014
【図１４】
0005096964.tif 000015
【図１５】
0005096964.tif 000016
【図１６】
0005096964.tif 000017
【図１７】
0005096964.tif 000018